(57)【要約】【課題】コストアップやデザイン上の規制を招くことなく、電磁波ノイズの外部への放出を低減することができる撮像装置を提供する。【解決手段】撮像装置の一例であるデジタルカメラは、被写体の光学像を結像する撮影レンズ２と、撮影レンズ２を着脱可能なカメラマウント８と、光学像を電気信号に変換する撮像素子１２と、電気信号を処理する画像処理部２４を有するメイン基板１３と、メイン基板１３と電気的に接続され、カメラマウント８の周囲においてスイッチ等の電気部品を実装すると共に、端部にグランド接続部１４ｄを備えるスイッチ基板１４と、グランド接続部１４ｄと電気的に接続されるグランド接続部１１ｂを備え、撮影レンズ２をカメラマウント８に付勢する金属製のマウントバネ１４を備え、スイッチ基板１４とマウントバネ１１とを電気的に接続させる。【選択図】図５
2011142438.tif 000002
【特許請求の範囲】
【請求項１】
撮影レンズのレンズマウント部と係合可能なカメラマウント部と、
前記光学像を電気信号に変換する撮像素子と、
前記電気信号を処理する画像処理部を有する第１の基板と、
前記第１の基板と電気的に接続され、前記カメラマウント部の周囲において電気部品を実装すると共に、端部にグランド接続部を備える第２の基板と、
前記グランド接続部と電気的に接続される接続部を備え、前記レンズマウント部を前記カメラマウント部に係合させた際に、前記レンズマウント部を前記カメラマウント部に付勢する金属製の付勢部材と、を備えることを特徴とする撮像装置。
【請求項２】
前記光学像の結像方向を変更する可動ミラーユニットを有し、前記マウントを固定するミラーボックスを更に備え、
前記付勢部材は、前記ミラーボックスの下面に配設された金属製の第１の本体構造部材と接続されることを特徴とする請求項１記載の撮像装置。
【請求項３】
前記第１の本体構造部材は、前記ミラーボックスの背面に配設される金属製の第２の本体構造部材と接続されることを特徴とする請求項２記載の撮像装置。
【請求項４】
前記第１の本体構造部材と前記第２の本体構造部材とは一体構造であることを特徴とする請求項３に記載の撮像装置。
【請求項５】
前記カメラマウント部は金属で構成され、前記付勢部材は前記マウント部と接続されることを特徴とする請求項１乃至４のいずれか１項に記載の撮像装置。
【発明の詳細な説明】
【技術分野】
【０００１】
本発明は、撮像装置に関し、特に、外部に放出する電磁波ノイズを低減する構造を有する撮像装置に関する。
【背景技術】
【０００２】
デジタルカメラ等の撮像装置では、被写体の光学像をＣＣＤやＣＭＯＳ等の撮像素子（光電変換素子）で受光し、撮像素子から出力される電気信号を画像処理して画像データに変換し、メモリカード等の記憶媒体に記録している。
【０００３】
このような撮像装置では、画像処理の処理速度の高速化が求められている。しかし、処理速度の高速化を進めると、画像処理を行う処理部（装置）の周辺及び処理部自体から放出される不要な電磁波ノイズが増大し、この電磁波ノイズが撮像装置自体や撮像装置の周辺機器に影響を与える等の問題がある。
【０００４】
この問題を解決するために、専用の金属部品が基板のグランドパターンと電気的に接続された撮像装置や、基板のグランドパターンと電気的に接続された導電材からなる外装カバーを備えた撮像装置が提案されている（例えば、特許文献１参照）。これらの撮像装置では、不要な電磁波ノイズの外部への放出を低減することができる。
【先行技術文献】
【特許文献】
【０００５】
【特許文献１】特開平９−２４４１１７号公報
【発明の概要】
【発明が解決しようとする課題】
【０００６】
しかしながら、専用の金属部品を使用する撮像装置では、スペース効率の低下による大型化の問題や、部品単価が高くなり、組み立て工数が増加等することによってコストアップが生じるという問題が生じる。
【０００７】
外装カバーに導電材を使用する撮像装置では、プラスチック製の外装カバーに導電塗装を施す方法や、導電性のある特殊な材料からなる外装カバーを使用する方法や、金属製の外装カバーを使用する方法を用いることができると考えられる。しかし、これらのいずれの方法も、外装カバーの使用によってコストアップが生じるという問題があり、また、外装カバーが撮像装置本体のデザインを規制したり、撮像装置本体の意匠性が外装カバーによって損なわれるという問題がある。
【０００８】
本発明の目的は、コストアップやデザイン上の規制を招くことなく、電磁波ノイズの外部への放出を低減することができる撮像装置を提供することにある。
【課題を解決するための手段】
【０００９】
上記目的を達成するため、本発明の撮像装置は、撮影レンズのレンズマウント部と係合可能なカメラマウント部と、前記光学像を電気信号に変換する撮像素子と、前記電気信号を処理する画像処理部を有する第１の基板と、前記第１の基板と電気的に接続され、前記カメラマウント部の周囲において電気部品を実装すると共に、端部にグランド接続部を備える第２の基板と、前記グランド接続部と電気的に接続される接続部を備え、前記レンズマウント部を前記カメラマウント部に係合させた際に、前記レンズマウント部を前記カメラマウント部に付勢する金属製の付勢部材と、を備えることを特徴とする。
【発明の効果】
【００１０】
本発明に係る撮像装置では、簡単な構成で、第２の基板を第１の基板と電気的に接続すると共に、撮像装置が元々備える付勢部材に対しても電気的に接続することができる。このような構成により、コストアップやデザイン上の規制を招くことなく、電磁波ノイズの外部への放出を低減することができる。
【図面の簡単な説明】
【００１１】
【図１】本発明の実施形態に係るカメラのカメラ本体にレンズが取り付けられた状態を示す斜視図である。
【図２】図１に示されるカメラのカメラ本体の斜視図（ａ）及びレンズの斜視図（ｂ）である。
【図３】図１に示されるカメラの制御系の構成を示すブロック図である。
【図４】図１に示されるカメラの展開斜視図である。
【図５】図４に示される本体ユニットの構成を示す展開斜視図である。
【図６】図４に示される本体ユニットの構造を示す正面斜視図（ａ）と背面斜視図（ｂ）である。
【図７】本発明の実施形態に係るカメラに装備されるスイッチ基板の斜視図である。
【発明を実施するための形態】
【００１２】
以下、本発明の実施の形態について図面を参照しながら詳細に説明する。ここでは、撮像装置として、所謂、デジタルカメラを例示するものとする。
【００１３】
図１は、本発明の実施形態に係るデジタルカメラのカメラ本体にレンズが取り付けられた状態を示す斜視図であり、図２（ａ）は、カメラ本体の斜視図であり、図２（ｂ）は、レンズの斜視図である。
【００１４】
デジタルカメラは、カメラ本体１と、カメラ本体１に着脱可能な撮影レンズ２から構成されており、カメラ本体１には、カメラ本体１から撮影レンズ２を取り外すためのレンズ取り外しボタン３が設けられている。
【００１５】
カメラ本体１は、ＡＥ（自動露出調節）とＡＦ（自動焦点調節）の開始を指示し、撮影を指示するための二段スイッチとなっているレリーズボタン４を備える。このレリーズボタン４を一段目まで軽く押下すると、所謂、“半押し”の状態となって、不図示の第１スイッチ（ＳＷ１（図３参照））がオン状態となり、ＡＥとＡＦが行われる。この半押しの状態から更にレリーズボタン４を押して第二段目まで押下すると、所謂、“全押し”の状態となって、不図示の第２スイッチ（ＳＷ２（図３参照））がオン状態となり、撮影が行われる。
【００１６】
また、カメラ本体１は、内蔵ストロボ５と、内蔵ストロボ５のポップアップ動作を指示するためのストロボボタン６と、被写界深度を確認するために、設定されている絞り値で絞り込み動作を指示する絞り込みボタン７を備えている。
【００１７】
更に、カメラ本体１は、被写体の光学像を結像するための撮影レンズ２の着脱を可能とし、撮影レンズ２を係止するためのカメラマウント部としてのカメラマウント８を備えており、撮影レンズ２は、カメラマウント８と係合可能なレンズマウント部としてのレンズマウント９を備えている。後に詳細に説明するように、レンズマウント９は、付勢部材であるマウントバネ１１（後に説明する図４参照）によって付勢された状態で、カメラマウント８に保持される。
【００１８】
図３は、デジタルカメラ（カメラ本体１及び撮影レンズ２）の制御系の構成を示したブロック図である。
【００１９】
撮影レンズ２は、複数の光学レンズ１７と、絞り１８とを備えている。カメラ本体１は、シャッタ１９と、画像を電気信号に変換する撮像素子１２と、撮像素子１２からのアナログの画像信号をデジタルの画像データに変換するＡ／Ｄ変換部２０を備えている。なお、撮像素子１２としては、ＣＣＤ（Charge-Coupled Devices）やＣＭＯＳ（Complementary Metal-Oxide Semiconductor）等の、被写体像を光電変換して画像情報を生成する素子が用いられる。
【００２０】
デジタルカメラでは、メモリ制御部２２とシステム制御部２３によって制御されるタイミング発生回路２１が、撮像素子１２とＡ／Ｄ変換部２０にクロック信号や制御信号を供給する。また、画像処理部２４が、Ａ／Ｄ変換部２０やメモリ制御部２２からの画像データに対して画素補間処理や色変換処理等の所定の画像処理を行う。この画像処理部２４は、Ａ／Ｄ変換部２０から出力される画像データを用いて所定の演算処理を行い、得られた演算結果に基づいてＴＴＬ（スルー・ザ・レンズ）方式のＡＷＢ（オートホワイトバランス）制御処理も行っている。
【００２１】
メモリ制御部２２は、タイミング発生回路２１だけでなく、Ａ／Ｄ変換部２０、画像処理部２４、画像表示メモリ２５、表示制御部２６、メモリ２７及び圧縮伸長部２８を制御する。Ａ／Ｄ変換部２０から出力されるデータは、画像処理部２４とメモリ制御部２２を介して、又は直接にメモリ制御部２２を介して、画像表示メモリ２５又はメモリ２７に書き込まれる。
【００２２】
メモリ２７は、所定枚数の画像の格納を可能にする十分な記憶量を備えており、撮影された画像を格納する。
【００２３】
メモリ２７から読み出された画像データは、圧縮伸長部２８によって、所定の画像圧縮方法(例えば、適用離散コサイン変換等)にしたがって圧縮処理又は伸長処理される。こうして圧縮伸長部２８によって処理された画像データはメモリ２７に書き込まれ、更に、カメラ本体１に着脱可能な記憶媒体２９に記憶される。
【００２４】
記憶媒体２９は、フラッシュメモリ等の不揮発性メモリによって構成されている。また、メモリ２７は、システム制御部２３の作業領域としても使用され得る。更に、メモリ２７は、記憶媒体２９からの画像データの読み出しに使用される。こうしてメモリ２７に読み出された画像データは、画像処理部２４やメモリ制御部２２を介して画像表示メモリ２５に書き込まれ、表示制御部２６を介して画像表示部３０に表示される。
【００２５】
シャッタ１９の制御はシャッタ制御部３１によって行われ、絞り１８の制御は絞り制御部１８によって行われる。レリーズボタン４の押下に伴う“半押し”と“全押し”の状態の制御、絞り込みボタン７の押下による設定の絞り値への絞り込みは、システム制御部２３によって行われる。撮影レンズ２の焦点調節の制御は、測距制御部３３によって行われる。
【００２６】
内蔵ストロボ５の発光制御はストロボ制御部３４によって行われる。ストロボ制御部３４は、ストロボボタン６が押下されると、システム制御部２３を介して内蔵ストロボ５のポップアップをも行う。
【００２７】
システム制御部２３は、デジタルカメラの全体制御を行う。システム制御部２３は、ＣＰＵを含むマイクロコンピュータユニットから構成されており、メモリ３５に格納されたプログラムを実行する。メモリ３５には、システム制御部２３の動作用の定数や変数、プログラム等が記憶されている。メモリ３５には、また、撮像処理を行うプログラムや画像処理を行うプログラム、画像データを記憶媒体２９に記憶するプログラム、画像データを記憶媒体２９から読み出すプログラム等の各種のプログラムが記憶されている。メモリ３５には、更に、これら各種のプログラムのマルチタスク構成を実現し、実行するためのＯＳ等のプログラムが記憶されている。
【００２８】
デジタルカメラを動作させるために必要となる電源部３７は、例えば、ニッケル水素電池やリチウムイオン電池等の電池、又は家庭用電源を利用可能にするＡＣアダプタである。電源部３７の制御は、電源検出回路やＤＣ−ＤＣコンバータ、電力を供給する回路ブロックを切換えるスイッチ回路等により構成された電源制御部３６によって行われる。電源制御部３６は、電源部３７の装着の有無、電源部３７の種類、電池残量の検出等を行い、検出結果とシステム制御部２３の指示に基づいてＤＣ−ＤＣコンバータを制御し、必要な電力を必要な期間、記憶媒体を含む各部へ供給する。
【００２９】
次に、本発明の実施形態に係るデジタルカメラの内部構成（ハードウェア）について説明する。図４は、図１に示したデジタルカメラの展開斜視図である。
【００３０】
カメラ本体１は、図４に示されるように大略的に、前カバーユニット１００、後カバーユニット２００、上カバーユニット３００、電池ユニット４００及び本体ユニット５００によって構成されている。
【００３１】
前カバーユニット１００には、レンズ取り外しボタン３やストロボボタン６、絞り込みボタン７等が配設されている。後カバーユニット２００には、不図示の操作ボタンやＬＣＤ等の画像表示器等が配設されている。上カバーユニット３００には、レリーズボタン４、内蔵ストロボ５等が配設されている。電池ユニット４００には、不図示の電池蓋が配設されており、電池等を収容することができるようになっている。
【００３２】
図５は、図４に示される本体ユニット５００の構成を示す展開斜視図であり、図６は、図４に示される本体ユニットの構造を示す正面斜視図（ａ）と背面斜視図（ｂ）である。
【００３３】
本体ユニット５００は、撮影レンズ２による光学像の結像方向を変更する可動ミラーユニットを保持すると共に、カメラマウント８を取り付けビスにより固定するプラスチック製のミラーボックス１０を備えている。レンズマウント９をカメラマウント８に係合させた際に、レンズマウント９をカメラマウント８に付勢するための金属製のマウントバネ１１が、ミラーボックス１０とカメラマウント８の間に配設されている。
【００３４】
なお、カメラマウント８は金属製であることが好ましく、これによりカメラマウント８はマウントバネ１１と電気的に接続される。後述するように、マウントバネ１１はグランド接続されるため、これによりカメラマウント８もグランド接続されて、カメラマウント８が電気的に浮遊することを防止することができる。
【００３５】
マウントバネ１１は、カメラマウント８と接続するためのマウント接続部１１ａを有しており、カメラマウント８がミラーボックス１０に取り付けられたときに、カメラマウント８の背面側に接続される。また、マウントバネ１１は、グランド接続するためのグランド接続部１１ｂ，１１ｃを有している。
【００３６】
ミラーボックス１０の後方には、撮像素子１２が取り付けビスによって取り付けられている。撮像素子１２は第１の基板であるメイン基板１３に直接実装してもよいし、撮像素子１２とメイン基板１３とをフレキシブル基板で接続してもよい。メイン基板１３には、撮像素子１２によって撮影レンズ２を通して結像した光学像から変換された電気信号を処理するための信号処理部が実装されている。すなわち、メイン基板１３は、Ａ／Ｄ変換部２０、タイミング発生回路２１、メモリ制御部２２、システム制御部２３、画像処理部２４、表示制御部２６等を含んでいる。
【００３７】
ミラーボックス１０の側面には第２の基板であるスイッチ基板１４が配置されている。図７は、スイッチ基板１４の斜視図である。
【００３８】
スイッチ基板１４は、ストロボボタン６に対応するスイッチ（電気部品）が実装される実装部１４ａと、絞り込みボタン７に対応するスイッチ（電気部品）が実装される実装部１４ｂとを有し、実装部１４ａ，１４ｂはカメラマウント８の周囲に配置される。
【００３９】
スイッチ基板１４はまた、メイン基板１３に実装された接続コネクタ１３ａに差し込むためのコネクタ接続部１４ｃを備えており、スイッチ基板１４の端部には、マウントバネ１１のグランド接続部１１ｂと接続するためのグランド接続部１４ｄが設けられている。グランド接続部１１ｂとグランド接続部１４ｄは、ミラーボックス１０に取り付けビスによって共締めされ、これによってスイッチ基板１４とマウントバネ１１とが電気的に接続される。
【００４０】
ミラーボックス１０の下面には、第１の本体構造部材である金属製のボトムプレート１５が、取り付けビスによって取り付けられている。また、第２の本体構造部材である金属製のメインプレート１６が、ミラーボックス１０と撮像素子１２の間に配設されるようにして、取り付けビスによりボトムプレート１５に取り付けられる。
【００４１】
このとき、ボトムプレート１５の取り付け部１５ａは、マウントバネ１１のグランド接続部１１ｃを間に挟んでミラーボックス１０に取り付けビスによって共締めされ、これにより、マウントバネ１１とボトムプレート１５が電気的に接続される。このような構成によって、メイン基板１３と接続されているスイッチ基板１４は、マウントバネ１１単体と接続される場合と比べて、より強固に本体ユニット５００に組み込まれるため、確実なグランド接続が実現される。
【００４２】
以上の説明の通り、本体ユニット５００では、マウントバネ１１とスイッチ基板１４は、ミラーボックス１０に対して取り付けられた状態でグランド接続される。また、マウントバネ１１とスイッチ基板１４は、ボトムプレート１５によっても確実にグランド接続される。更に、メインプレート１６がボトムプレート１５と電気的に接続されることで、マウントバネ１１とスイッチ基板１４は、メインプレート１６に対しても電気的に接続される。
【００４３】
このような構成により、カメラマウント８周りに配置されたスイッチ基板１４等が電磁波を放出するアンテナとして働くことが抑えられ、ＥＭＩ（Electromagnet Interference；電磁妨害放射規制）性能を向上させることができる。また、デジタルカメラに元々備えられているマウントバネ１１を利用するため、部品点数の増加等によるコストアップを招くこともなく、また、カメラ本体１にデザイン上の規制が生じることもない。
【００４４】
以上、本発明の実施形態について説明したが、本発明は上記実施形態に限定されるものではなく、その要旨の範囲内で種々の変形及び変更が可能である。
【００４５】
例えば、上記の実施形態では、ボトムプレート１５とメインプレート１６とを別の部品としたが、これらは、一体構造（すなわち、接続部（繋ぎ目）のない１個の部品）であってもよい。
【符号の説明】
【００４６】
１    カメラ本体
２    撮影レンズ
３    レンズ取り外しボタン
４    レリーズボタン
５    内蔵ストロボ
６    ストロボボタン
７    絞り込みボタン
８    カメラマウント（カメラマウント部）
９    レンズマウント（レンズマウント部）
１０    ミラーボックス
１１    マウントバネ（付勢部材）
１２    撮像素子
１３    メイン基板（第１の基板）
１４    スイッチ基板（第２の基板）
１５    ボトムプレート（第１の本体構造部材）
１６    メインプレート（第２の本体構造部材）
５００  本体ユニット
【図１】
2011142438.tif 000003
【図２】
2011142438.tif 000004
【図３】
2011142438.tif 000005
【図４】
2011142438.tif 000006
【図５】
2011142438.tif 000007
【図６】
2011142438.tif 000008
【図７】
2011142438.tif 000009